(57)【要約】【課題】ワイヤレスによる伝送モードを低コストで便利に使用するべく、ワイヤレスネットワークに対応するワイヤレスの周辺装置を提供する。【解決手段】802.11シリーズのワイヤレスＬＡＮスタンダードをシグナル伝送のインターフェイスとし、該周辺装置はデータを802.11シリーズ通信スタンダードのパケットデータに変換し、且つワイヤレスでコンピュータに伝送するべく、該コンピュータ中には802.11シリーズスタンダードに対応するネットワークカードを設けて該パケットデータを受信し、更に該コンピュータ中の駆動プログラムによって解読を行い、且つこれに対応するコンピュータコントロールシグナルを生じさせることで、該ワイヤレスコンピュータ周辺装置が該コンピュータの操作をコントロールするようにする。【選択図】        図１
2005196339.tif 000002
【特許請求の範囲】
【請求項１】
主にデータをネットワークカードの具わったコンピュータにアウトプットするべく、主に周辺装置コントローラとシグナル処理機とより構成されるワイヤレスネットワークに対応するワイヤレスの周辺装置において、
該データをアウトプットする該周辺装置コントローラと、
該データを受信し、且つ該データをワイヤレスネットワーク標準の通信協定に対応したパケットデータに変換した後、ワイヤレスで該パケットデータを該コンピュータへ伝送する該シグナル処理機とを含み、
該コンピュータの駆動プログラムで該パケットデータを解読した後、該ワイヤレスの周辺装置が該コンピュータの操作をコントロールするべく、これに対応するコンピュータコントロールシグナルを生じることを特徴とするワイヤレスネットワークに対応するワイヤレスの周辺装置。
【請求項２】
前記ワイヤレスネットワークスタンダードフォーマットは、ＩＥＥＥにより制定された802.11シリーズの通信協定に基づくものであることを特徴とする請求項１記載のワイヤレスネットワークに対応するワイヤレスの周辺装置。
【請求項３】
前記コンピュータではフィードバックシグナルが発生し、且つワイヤレスで該周辺装置にまで伝送され、該周辺装置はこれに対応した操作シグナルを発生することを特徴とする請求項１記載のワイヤレスネットワークに対応するワイヤレスの周辺装置。
【請求項４】
前記ネットワークカードはワイヤレスネットワークカードであり、且つ該シグナル処理機とはＩＥＥＥにより制定されたａｄ‐ｈｏｃを利用した伝送モードによるものであり、該パケットデータが該ネットワークカードにまで伝送されることを特徴とする請求項２記載のワイヤレスネットワークに対応するワイヤレスの周辺装置。
【請求項５】
前記パケットデータはワイヤレスで該ネットワークアクセスポイントに伝送された後、該ネットワークアクセスポイントから該ネットワークカードに伝送されることを特徴とする請求項１記載のワイヤレスネットワークに対応するワイヤレスの周辺装置。
【請求項６】
前記ネットワークカードとはワイヤレスネットワークカードであり、該ネットワークアクセスポイントと該ネットワークカード間は、ワイヤレスにより伝送が行われることを特徴とする請求項５記載のワイヤレスネットワークに対応するワイヤレスの周辺装置。
【請求項７】
前記ネットワークカードはケーブルネットワークカードとし、該ネットワークアクセスポイントと該ネットワークカード間はケーブルにより伝送が行われるものであることを特徴とする請求項６記載のワイヤレスネットワークに対応するワイヤレスの周辺装置。
【請求項８】
前記周辺装置とは、ワイヤレスによるインプット装置、若しくはポインティング装置であることを特徴とする請求項１記載のワイヤレスネットワークに対応するワイヤレスの周辺装置。
【請求項９】
前記シグナル処理機には、非揮発性メモリと、中央処理ユニットと、ＲＡＭと基本波処理ユニットと、アクセスコントロールユニットと、ラジオフリーケンシー回路とを含み、
ワイヤレスＬＡＮスタンダードをストレージする該非揮発性メモリと、
データをパケットデータに変換する該中央処理ユニットと、
該中央処理ユニットとカップリングされて該中央処理ユニットの操作を補助する該ＲＡＭと、
前記パケットデータコードを802.11のＰＨＹ層スタンダードに対応したコードとする該基本波処理ユニットと、
前記パケットデータコードを802.11のＭＡＣ層スタンダードに対応したコードとする該アクセスコントロールユニットと、
前記ＰＨＹ層及び前記ＭＡＣ層スタンダードのパケットデータをラジオフリーケンシーシグナルに変換するための該ラジオフリーケンシー回路とを具有することを特徴とする請求項１記載のワイヤレスネットワークに対応するワイヤレスの周辺装置。
【請求項１０】
前記シグナル処理機には該アクセスコントローラの稼動を補助するべく更に不ら主メモリが含まれることを特徴とする請求項３記載のワイヤレスネットワークに対応するワイヤレスの周辺装置。
【請求項１１】
前記シグナル処理機には、該パケットデータを伝送するべく更にアンテナが含まれることを特徴とする請求項１記載のワイヤレスネットワークに対応するワイヤレスの周辺装置。
【発明の詳細な説明】
【技術分野】
【０００１】
本発明はワイヤレスネットワークに対応するワイヤレスの周辺装置に係り、特にワイヤレスネットワーク技術の応用されたコンピュータ周辺装置に関わる。
【背景技術】
【０００２】
現在ネットワークがデータを伝送する方法には大きく分けて二種類ある。先ず一つにケーブルを媒介として伝送する、つまりケーブルＬＡＮによる伝送であり、もう一つは光波（赤外線やレーザ）やワイヤレスによる電波を伝送の媒介として伝送を行う、つまりワイヤレスＬＡＮによる伝送、とに分けられる。
使用上では、ワイヤレスLANの機動性と便利性は、ケーブルを使用したものが遥かに及ばないほどであり、よって応用される範囲が広まってきている傾向にある。たとえばワイヤレスネットワークカメラなどがそれである。またワイヤレスネットワークの伝送範囲は、ワイヤレスワイドエリアネットワーク（ＷＷＡＮ）とワイヤレスローカルエリアネットワーク（ＷＬＡＮ）、並びにワイヤレスパーソナルエリアネットワーク（ＷＰＡＮ）とに分けられている。
【０００３】
上述のＷＬＡＮにおいて言えば、例えば、特許文献１に開示されているように、伝送範囲は約100メートルほどのワイヤレスネットワークであり、一軒の建物やオフィス内で応用されており、ネットワークアクセスポイントやケーブルＬＡＮと合わせて使用されることで幅広く使用でき、現在のワイヤレスＬＡＮの標準協定にはＩＥＥＥの規定する802.11シリーズのほかにもHIPERLANやHOMERF及び1394などが含まれる。
また、802.11では二種類の伝送モードが定義されており、一つはAd‐Hoc、もう一つがInfrastuctureモードとなっている。Infrastuctureモードにおいては、ワイヤレスのステーションのデータが直接ケーブル進入できないため、ネットワークアクセスポイントが必要となっており、これはワイヤレスＬＡＮとケーブルＬＡＮに接続するためであり、データをケーブルタイプの装置からワイヤレスタイプの装置に伝送するのみでなく、ワイヤレスでのルートを各必要な装置に供給するためにも必要な装置となっている。またAd−Hocモードではコンピュータ同士間でデータ伝送が行え、二装置の距離が短い際に適した最も簡単且つ直接的な方法であるといえる。
【特許文献１】特許第３２５１７９７号公報
【発明の開示】
【発明が解決しようとする課題】
【０００４】
しかし、上述のような方法や装置では以下のような欠点がある。
現在のコンピュータ周辺装置においては、例えばマウスやキーボード及び主にゲームなどを目的とした操縦桿などのようなものがあるが、これらはみなワイヤレスシグナルアクセプタを利用し、マウスやキーボードが伝送するパケットコマンドを受信する。使用される通信或いは通信協定（プロトコル）は皆メーカが独自で制定したものであるため、相互に相容れないといったことが原因となり、販売の際にはバウンディングプロダクト（bounding product）を合わせて販売する形態となっている。つまり、パソコン端末と周辺装置端末とに該メーカのデザインするワイヤレスによるエミッション及びアクセプト回路を加えることで、ワイヤレスによる伝送が行えるものとなっているため、使用者は任意にアクセプタを変えることができない、或いは任意のメーカの無線周辺装置を加えて使用することができないといった欠点がある。
そこで上述の欠点に鑑み、ますます普及するワイヤレスによる伝送モードを低コストで便利に使用するべく、本発明のワイヤレスネットワークに対応するワイヤレスの周辺装置を提供する。
【課題を解決するための手段】
【０００５】
本発明は、前述の欠点を解決すべく、主に802.11シリーズのワイヤレスＬＡＮスタンダードをシグナル伝送のインターフェイスとし、該周辺装置はデータを装置中のシグナル処理機に伝送し、該データを802.11シリーズの規格に対応したパケットデータに変換し、ワイヤレスでコンピュータに伝送するべく、該コンピュータ中には802.11シリーズスタンダードに対応したワイヤレスネットワークカードを設けて該パケットデータを受信し、該コンピュータ中の駆動プログラムによって解読を行うと共にコンピュータコントロールシグナルを生じ、該ワイヤレスのコンピュータ周辺装置が該コンピュータの操作をコントロールするようにし、同様にして、該コンピュータがフィードバックシグナルを生じ、ワイヤレスによって該周辺装置にまで伝送し、該周辺装置内の該周辺装置コントローラがこれに対応する操作シグナルを生じ、即ち該周辺装置の操作或いは動作をコントロールし、802.11シリーズの通信協定によってデータ伝送を行うことで、ワイヤレスシグナルアクセプタの必要性を排除し、異なるメーカ間で相容れないといった問題を解決する
【０００６】
すなわち、請求項１の発明は、主にデータをネットワークカードの具わったコンピュータにアウトプットするべく、主に周辺装置コントローラとシグナル処理機とより構成されるワイヤレスネットワークに対応するワイヤレスの周辺装置において、
該データをアウトプットする該周辺装置コントローラと、該データを受信し、且つ該データをワイヤレスネットワーク標準の通信協定（プロトコル）に対応したパケットデータに変換した後、ワイヤレスで該パケットデータを該コンピュータへ伝送する該シグナル処理機とを含み、
該コンピュータの駆動プログラムで該パケットデータを解読した後、該ワイヤレスの周辺装置が該コンピュータの操作をコントロールするべく、これに対応するコンピュータコントロールシグナルを生じることを特徴とするワイヤレスネットワークに対応するワイヤレスの周辺装置である。
【０００７】
請求項２の発明は、前記ワイヤレスネットワークスタンダードフォーマットは、Institute of Electrical and Electronic Engineers、即ちＩＥＥＥにより制定された802.11シリーズの通信協定に基づくものであることを特徴とする請求項１記載のワイヤレスネットワークに対応するワイヤレスの周辺装置である。
請求項３の発明は、前記コンピュータではフィードバックシグナルが発生し、且つワイヤレスで該周辺装置にまで伝送され、該周辺装置はこれに対応した操作シグナルを発生することを特徴とする請求項１記載のワイヤレスネットワークに対応するワイヤレスの周辺装置である。
請求項４の発明は、前記ネットワークカードはワイヤレスネットワークカードであり、且つ該シグナル処理機とはＩＥＥＥにより制定されたAd‐Hocを利用した伝送モードによるものであり、該パケットデータが該ネットワークカードにまで伝送されることを特徴とする請求項２記載のワイヤレスネットワークに対応するワイヤレスの周辺装置である。
請求項５の発明は、前記パケットデータはワイヤレスで該ネットワークアクセスポイントに伝送された後、該ネットワークアクセスポイントから該ネットワークカードに伝送されることを特徴とする請求項１記載のワイヤレスネットワークに対応するワイヤレスの周辺装置である。
請求項６の発明は、前記ネットワークカードとはワイヤレスネットワークカードであり、該ネットワークアクセスポイントと該ネットワークカード間は、ワイヤレスにより伝送が行われることを特徴とする請求項５記載のワイヤレスネットワークに対応するワイヤレスの周辺装置である。
請求項７の発明は、前記ネットワークカードはケーブルネットワークカードとし、該ネットワークアクセスポイントと該ネットワークカード間はケーブルにより伝送が行われるものであることを特徴とする請求項６記載のワイヤレスネットワークに対応するワイヤレスの周辺装置である。
請求項８の発明は、前記周辺装置とは、ワイヤレスによるインプット装置、若しくはポインティング装置であることを特徴とする請求項１記載のワイヤレスネットワークに対応するワイヤレスの周辺装置である。
【０００８】
請求項９の発明は、前記シグナル処理機には、非揮発性メモリと、中央処理ユニットと、ＲＡＭと基本波処理ユニットと、アクセスコントロールユニットと、ラジオフリーケンシー回路とを含み、ワイヤレスLANスタンダードをストレージする該非揮発性メモリと、データをパケットデータに変換する該中央処理ユニットと、該中央処理ユニットとカップリングされて該中央処理ユニットの操作を補助する該ＲＡＭと、該パケットデータコードを802.11のＰＨＹ(Physical)層スタンダードに対応したコードとする該基本波処理ユニットと、該パケットデータコードを802.11のＭＡＣ（Media Access Controller）層スタンダードに対応したコードとする該アクセスコントロールユニットと、該ＰＨＹ層及び該ＭＡＣ層スタンダードのパケットデータをラジオフリーケンシーシグナルに変換するための該ラジオフリーケンシー回路と、
を具有することを特徴とする請求項１記載のワイヤレスネットワークに対応するワイヤレスの周辺装置である。
請求項１０の発明は、前記シグナル処理機には該アクセスコントローラの稼動を補助するべく更に不ら主メモリが含まれることを特徴とする請求項３記載のワイヤレスネットワークに対応するワイヤレスの周辺装置である。
請求項１１の発明は、前記シグナル処理機には、該パケットデータを伝送するべく更にアンテナが含まれることを特徴とする請求項１記載のワイヤレスネットワークに対応するワイヤレスの周辺装置である。
【発明の効果】
【０００９】
本発明によると、既製のスタンダードワイヤレスネットワークプロトコルを直接利用したネットワーク環境において、周辺装置の操作或いは動作をコントロールし、802.11シリーズの通信協定によってデータ伝送を行うことで、ワイヤレスシグナルアクセプタの必要性を排除し、異なるメーカ間でも相互にデータのインプットやアウトプット、並びにコマンドの執行とコントロールを操作することができるようになり、ワイヤレスのコンピュータ周辺装置の使用を更に便利にする目的が達成された。
【発明を実施するための最良の形態】
【００１０】
本発明の実施例を説明すると、図１に示すように、ワイヤレスネットワークに対応するワイヤレスの周辺装置１００の構造には、データをアウトプットする周辺装置コントローラ１１０、並びにシグナル処理機１２０を含み、データコントロールインターフェイス１４０と該周辺装置コントローラ１１０でシグナルの伝送とコミュニケーションを行い、該周辺装置コントローラ１１０のアウトプットするデータを受信し、データをワイヤレスLANスタンダードのフォーマットに合ったパケットデータに変換し、ワイヤレスで該データをコンピュータ２００に伝送し、該コンピュータ２００中の駆動プログラムが該パケットデータを読み取ると、該コンピュータ２００が該データによって相対するコントロールシグナルを生じ、該ワイヤレスの周辺装置２００が該コンピュータ２００の操作や動作を制御するものとする。該ワイヤレスLANスタンダードフォーマットに適したパケットデータは該ワイヤレスの周辺装置１００中のアンテナ３００によって、シグナルラジオフリーケンシー方式で伝送を行い、該コンピュータ２００中のアンテナ４００によって受信されるものとする。
【００１１】
では、マウスを例に取ると、該マウスには周辺装置コントローラ１１０（座標探索モジュール及びクリックボタンシグナルコントロールモジュールなどを含む）、及び該シグナル処理機１２０を含む。該マウスが移動及びクリックされると、該周辺装置コントローラ１１０はそれに係る座標シグナルとボタンのシグナルをデータとしてシグナル処理機に伝送する。該シグナル処理機１２０は直ちに該データをワイヤレスＬＡＮスタンダードのパケットデータに変換し、アンテナ３００によってコンピュータ２００へと伝送する。続いて該コンピュータ２００のアンテナ４００が該パケットデータを受信し、該パケットデータがワイヤレスネットワークカードによって該コンピュータ２００中のマウス駆動プログラムに伝送され、該駆動プログラムによって該パケットデータが該コンピュータ２００作業システム中で認識可能なコマンドに変換される、つまりコンピュータコントロールシグナルでコンピュータのカーソル移動のコントロール及び特定のプログラムの機能操作を執行する。同様にして、トラックボール、キーボードなどのワンウェイのみの操作が行えるコンピュータ周辺装置においても、同様の方法によって該コンピュータの操作が行われる。
【００１２】
また、トゥーウェイでコミュニケーションが行えるワイヤレスのコンピュータ周辺装置においては、例えばゲーム用のコントローラやハンドルなどがあるが、これは該コンピュータ２００端末より相対するフィードバックシグナルを該主周辺装置１００にまで発し、こうすることで操作する者が該コンピュータと双方向のコミュニケーションがとれるようになり、例えばフォースフィードバックやバイブレーションフィードバック、触覚フィードバックなどがこれに含まれる。
上述の実施例中のワイヤレスネットワークとは、無線ＬＡＮ中の802.11シリーズスタンダードを指し、よって該ワイヤレスＬＡＮの環境中では、卓上型コンピュータやノートブック型パソコンなどが802.11シリーズのワイヤレススタンダード方式によってネットワークにアクセスすることで、本発明の提供する装置を運用させてコミュニケーションが図れるようになる。
【００１３】
更に、シグナル処理機の構成及びその運用においては、図２のブロックチャートで示すように、該シグナル処理機１２０は非揮発性メモリ１２１、フラッシュメモリ１２２及びＲＡＭ１２３、中央処理ユニット１２４、アクセスコントロールユニット１２５、基本波処理ユニット１２６及びラジオフリーケンシー回路１２７より構成される。
該ラジオフリーケンシー回路１２７と基本波処理ユニット１２６、並びにアクセスコントロールユニット１２５等の三つの部分で、ワイヤレスＬＡＮのIEEE802.11bモジュールを形成する。該パケットデータのコードが802.11のＰＨＹ(Physical)層スタンダードに対応するべく、該基本波処理ユニット１２６は802.11のＰＨＹ層スタンダードに対応しており、また該パケットデータコードが802.11のＭＡＣ（Media Access Controller）層スタンダードに対応すべく、該アクセスコントロールユニット１２５は802.11のＭＡＣ層スタンダードに対応しているものとする。
また、非揮発性メモリ１２１中には無線ＬＡＮスタンダードがストレージされており、中央処理ユニット１２４はデータをパケットデータに変換する。ＲＡＭ１２３と中央処理ユニット１２４はカップリングされ、該中央処理ユニットの操作を補助するものとする。該ラジオフリーケンシー回路１２７は該ＰＨＹ層及びＭＡＣ層スタンダードに符号するパケットデータをラジオフリーケンシーシグナルに変換するためのものである。また、フラッシュメモリ１２２は該アクセスコントロールユニット１２５の稼動を補助するものである。
【００１４】
図３から図５に示すように、該ワイヤレスの周辺装置１００と該コンピュータ２００の間の距離が短い際には、該周辺装置１００はAd−Hocモードで直接該コンピュータ２００中のワイヤレスネットワークカード２１０とリンケージする。ここで、Ad−HocモードとはＩＥＥＥの規定する802.11シリーズの伝送モードの一つである。
また、図４に示すように、該ワイヤレスの周辺装置１００はInfrastructureモードでネットワークアクセスポイント５００中に接続され、更に該ネットワークアクセスポイント５００によってInfrastructureモードでワイヤレス方式により該コンピュータ２００中のワイヤレスネットワークカード２１０と接続され、該コンピュータ２００がデータの伝送とコミュニケーションを行いやすくなっている。
更に、図５に示すように、ワイヤレスの周辺装置１００は、Infrastructureモードで無線方式によりネットワークアクセスポイント５００中に接続され、該ネットワークアクセスポイント５００はケーブル方式で該コンピュータ２００中のケーブルネットワークカード２３０と接続されるものとしてもよい。
【００１５】
図１に示すように、該ワイヤレスネットワークカード２１０が失効した際、或いは該コンピュータ２００にネットワークカードが備わっていない際には、該シグナル処理機１２０中には更にＵＳＢインターフェイス１３０が設けられているため、ワイヤレスの周辺装置１００を使用しない際には、接続ケーブルによって該コンピュータ２００中のUSBインターフェイス２２０に接続され、ワイヤレス周辺装置１００をネットワークカードとして使用する。このとき、使用者はキーボードによって、或いはタッチパッドなどの装置により、該コンピュータのネットワークを操作するものとする。
【図面の簡単な説明】
【００１６】
【図１】本発明の実施例におけるシステム全体の構造を示す図である。
【図２】本発明の実施例におけるシグナル処理機作動のブロックチャートである。
【図３】本発明における応用例（１）を示す図である。
【図４】本発明における応用例（２）を示す図である。
【図５】本発明における応用例（３）を示す図である。
【符号の説明】
【００１７】
１００  ワイヤレスの周辺装置
２００  コンピュータ
３００  アンテナ
４００  アンテナ
５００  ネットワークアクセスポイント
１１０  周辺装置コントローラ
１２０  シグナル処理機
１２１  非揮発性メモリ
１２２  フラッシュメモリ
１２３  ＲＡＭ
１２４  中央処理ユニット
１２５  アクセスコントロールユニット
１２６  基本波処理ユニット
１２７  ラジオフリーケンシー回路
１３０  ＵＳＢインターフェイス
１４０  データコントロールインターフェイス
２１０  ワイヤレスネットワークカード
２２０  ＵＳＢインターフェイス
２３０  ケーブルネットワークカード
【図１】
2005196339.tif 000003
【図２】
2005196339.tif 000004
【図３】
2005196339.tif 000005
【図４】
2005196339.tif 000006
【図５】
2005196339.tif 000007